(57)【特許請求の範囲】
【請求項１】
引出しをキャビネット本体の前面開口部より出し入れ可能に収納すると共に、該引出しの前側位置に開閉扉を備え、該キャビネット本体の前面に設けた施錠装置の施錠又は解錠動作により引出しの施錠及び解錠を行うキャビネットの施錠機構において、前記施錠装置の施錠又は解錠動作により横方向に摺動する連結棒と、該連結棒の横方向の摺動によって回動するキャビネット本体の本体側板側に縦方向に設けた鍵棒とを備え、該鍵棒に、引出しの側壁外面に突設した引掛板に係合する引掛棒と、螺旋カムとを設け、前記本体側板には前記螺旋カムに従動する鍵板を設け、前記施錠装置の施錠又は解錠動作により前記鍵棒を回動させ、前記引掛板に前記引掛棒を係合させ又は解除させることにより引出しの施錠又は解錠を行うと共に、前記螺旋カムを回動させて前記鍵板を回動させ前記開閉扉の施錠又は解錠を行うことを特徴とするキャビネットの施錠機構。
【発明の詳細な説明】
【０００１】
【産業上の利用分野】
本発明はオフィス用キャビネットに好適に使用することができるキャビネットの施錠機構に関する。
【０００２】
【従来の技術】
従来より、引出しを有するファイルキャビネット等には全ての引出しを収納位置に係止するラッチ機構が設けられており、一般的なラッチ機構は引出しや扉の前面板に取り付けられている引手と連動するラッチ部材を有し、引手を引くとラッチ部材がキャビネット本体に設けられている係止突起又は係止穴から離脱すなわちラッチ解除することにより、引出しや扉を開放移動可能にする。このようなラッチ機構を備えたキャビネット等にはさらにラッチ機構とは独立した或いはラッチ機構に組み合わされた施錠機構が組み込まれており、施錠装置により引手若しくはラッチ部材のラッチ解除動作を規制したり引出しに直接係合して引出しを収納位置にロックできるようになっている。
【０００３】
この種の施錠機構としては、キャビネット本体の前面に設けた施錠装置の施錠又は解錠動作により施錠杆（鍵棒）を上下方向に移動させ、引出しの側壁外面より突出する突起の前端に上記施錠杆に設けたストッパを当接させる等のようにし、引出しの施錠及び解錠を行うものが一般的である。
【０００４】
【発明が解決しようとする課題】
しかし、上記のような施錠杆（鍵棒）は、キャビネットに収納される引出しが多段になるに従って、重量が過大となり、施錠装置による操作がスムースに行えなくなるといった傾向があった。
【０００５】
したがって、本発明の目的は、キャビネットに収納される引出しの数に関わらず、円滑にキー操作を行うことができるようにしたキャビネットの施錠機構を提供することにある。
【０００６】
【課題を解決するための手段】
上記課題を解決するために、請求項１記載の発明は、引出しをキャビネット本体の前面開口部より出し入れ可能に収納すると共に、該引出しの前側位置に開閉扉を備え、該キャビネット本体の前面に設けた施錠装置の施錠又は解錠動作により引出しの施錠及び解錠を行うキャビネットの施錠機構において、前記施錠装置の施錠又は解錠動作により横方向に摺動する連結棒と、該連結棒の横方向の摺動によって回動するキャビネット本体の本体側板側に縦方向に設けた鍵棒とを備え、該鍵棒に、引出しの側壁外面に突設した引掛板に係合する引掛棒と、螺旋カムとを設け、前記本体側板には前記螺旋カムに従動する鍵板を設け、前記施錠装置の施錠又は解錠動作により前記鍵棒を回動させ、前記引掛板に前記引掛棒を係合させ又は解除させることにより引出しの施錠又は解錠を行うと共に、前記螺旋カムを回動させて前記鍵板を回動させ前記開閉扉の施錠又は解錠を行うことを特徴とする。
【０００７】
【作用】
請求項１記載のキャビネットの施錠機構においては、前記施錠装置の施錠又は解錠動作により横方向に摺動する連結棒と、該連結棒の横方向の摺動によって回動するキャビネット本体の本体側板側に縦方向に設けた鍵棒とを備え、該鍵棒に引出しの側壁外面に突設した引掛板に係合する引掛棒を設け、前記施錠装置の施錠又は解錠動作により前記鍵棒を回動させ前記引掛板に前記引掛棒を係合させ又は解除させることにより引出しの施錠又は解錠を行うようにしたので、鍵棒を上下する必要がなく、キャビネット本体に設定した引出しの数が増えても施錠及び解錠操作を円滑に行うことができる。更には、キャビネット本体が前記引出しの前面に開閉扉を備え、前記鍵棒に螺旋カムを設け、キャビネットの本体側板に該螺旋カムに従動する鍵板を設け、前記施錠装置の施錠又は解錠動作により、前記螺旋カムを回動させて前記鍵板を回動させ前記開閉扉の施錠又は解錠を行うようにもしているので、キャビネット本体に設定した引出しの数が増え、開閉扉の数が増えても開閉扉の施錠及び解錠操作を円滑に行うことができる。
【０００８】
【実施例】
以下、図面を参照して、本発明の実施例につき説明する。まず、図１は本発明にかかる施錠機構を設けたキャビネットの実施例を示す。このキャビネットは、キャビネット本体１と該キャビネット本体１に出し入れ自在に収容された複数個の引出し２とそれらの前面に設けた開閉扉３とを備える。さらに、このキャビネットは、カード式の施錠装置（図示せず）とこの施錠装置へのカードの挿入操作によって回転する回転板４を有する。該回転板４には、その回転によって横方向に摺動する一対の連結棒５，５が連結されている。キャビネットの左右の本体側板６には縦方向に左右対称に鍵棒７が設けられ、この鍵棒７は、上端において前記連結棒５に連結されている。なお、開閉扉３に対してはマグネットキャッチ８および後に詳述する施錠用の鍵板９が設けられている。また、本実施例では、引出し２は底板１０に中仕切板１１を立設することが可能なタイプのものを採用している。
【０００９】
次いで、図２は図１のキャビネットのＡ―Ａ線による断面図である。図２はカード式施錠装置１２を含む本実施例にかかる施錠機構を詳細に示す。カード式施錠装置１２はカードキーの挿入によってスライドするスライド板１３を有する。このスライド板１３にはピン１４が設けられ、このピン１４は回転板４の透孔１５に挿通している。これによって、スライド板１３が回転板４と連動し、スライド板１３がスライドすることにより、回転板４が解錠回転位置又は解錠回転位置に回転させられる。ピン１４とキャビネット本体１との間には復帰バネ１６が介在する。
【００１０】
回転板４は中心回転軸１７に回転可能に支持されており、この中心回転軸１７はキャビネット本体１に固定されている。また、回転板４は連結回転軸１８，１８を介して連結棒５，５に連結されている。すなわち、連結棒５，５の端部は回転板４と共に回転可能に支持されている。
【００１１】
図３は図１のキャビネットから引出し２を取り外し、本体側板６の付近において本実施例の施錠機構を明解に示した斜視図である。本体側板６には、側板補強部材１９が設けられ、該側板補強部材１９は縦方向幅広溝２０を有し、この縦方向幅広溝２０に鍵棒補強部材２１が設けられている。該鍵棒補強部材２１は側板補強部材１９の後側部分２２との間に形成される縦方向幅狭溝２３を有し、該縦方向幅狭溝２３に前記した鍵棒７が回動可能に配設される。なお、本実施例において、本体側板６の内側には、開閉扉３を収納するための扉レール２４および引出し２を出し入れするためのサスペンション２５が設けられており、鍵棒７はこれら扉レール２４とサスペンション２５とによって前記縦方向幅狭溝２３から外れないようになっている。
【００１２】
鍵棒７の上端はＬ字型部２６となっており、連結孔２７が設けられている。前記連結棒５のＬ字型に下垂した先端が連結孔２７に挿通することによって、連結棒５と鍵棒７とが連結する。
【００１３】
鍵棒７には引掛棒２８および螺旋カム２９が固定されている。該引掛棒２８は引出し２の側壁外面に突設した引掛板に係合することができるようになっている。一方、螺旋カム２９は図中向かって左上がりのテーパ状に形成されており、前記開閉扉３のための鍵板９の近傍に設けられている。
【００１４】
図４に示すように、鍵板９は上下に回動可能に本体側板６に支点３０により支持され、頭部に開閉扉３と係合する係合溝３１を備えるとともに、尾部に螺旋カム２９を挟持するための挟持溝３２を備える。
【００１５】
上記鍵棒７、引掛棒２８、螺旋カム２９は、キャビネットに向かって左側の部分について説明したが、右側の部分はこれと対称に設けられている。
【００１６】
上記構成の本実施例において、解錠状態で図２に示すカード挿入口３３からカードを挿入すると、スライド板１３が二点鎖線で示す位置に移動する。これによって、回転板４が回転し、連結した一対の連結棒５，５も左右に動いて実線の解錠位置から二点鎖線で示す施錠位置に移動する。連結棒５，５と連動する左右の鍵棒７も回動する。この結果鍵棒７に固定された引掛棒２８および螺旋カム２９も回動し、図３において二点鎖線で示すように施錠位置に移動する。この状態において、図５に示すように引掛棒２８は、引出し２の側壁外面に突設した引掛板３４に係合し、引出し２が施錠される。また、螺旋カム２９の回動に伴って、左上がりのテーパに沿って鍵板９の尾部が上方に移動し、逆に頭部が下方に移動し、図４に示すように係合溝３１において開閉扉３の係合孔３５と係合し、開閉扉３が施錠される。なお、この際前記鍵棒７は左右対称に配置されており、一対の鍵棒７の回動動作によりバランス良く引出し２および開閉扉３を施錠することができる。
【００１７】
このような施錠状態は、カードを引き抜いた後もカード式施錠装置１２の図示しない内部機構によって保持される。
次に、施錠状態においてカードを挿入すると施錠装置が解除され、復帰バネ１６の作用によって各構成部材が各図の実線で示した位置に復帰し、キャビネットが解錠状態となる。
【００１８】
以上のようにして、本実施例では、施錠及び解錠操作を行うこととしているが、カード式施錠装置を採用しているので、カードの前後操作のみによって行うので、キー操作が極めて容易である。
【００１９】
以上、図示実施例につき説明したが、本発明は上記形態にのみ限定されるものではなく、各構成要素の形状等に種々の変更を加えることが可能である。例えば、施錠装置はキー操作を容易に行うためにカード式施錠装置１２を採用したが、シリンダ施錠装置等他の施錠装置によることもできる。また、前記連結棒５の横方向の動きを引き出す機構は、上記のような回転板４によるものに限らず、当業者にとって公知の種々のものを採用することができる。また、一対の鍵棒７の回動動作によりバランス良く引出しおよび開閉扉３を施錠又は解錠するために、一対の前記鍵棒７を左右対称に配置したが、キャビネットの大きさ等により左右対称でなくとも良く、また一方のみ設けても良い。また、前記鍵板９は頭部が下がることによって開閉扉３の係合孔３５と係合させることとしたが、螺旋カム２９のテーパを逆にし、鍵板９の上下を反転することにより、頭部が上がることによって開閉扉３の係合孔３５と係合させるようにすることができる。
【００２０】
【発明の効果】
以上の説明から明かなように、本発明によれば、キャビネットに収納される引出しの数に関わらず、円滑にキー操作を行うことができるようにしたキャビネットの施錠機構を提供することができる。
【図面の簡単な説明】
【図１】  本発明にかかる施錠機構を設けたキャビネットを示す斜視図である。
【図２】  本発明にかかる施錠機構の実施例を示す図１のＡ―Ａ線矢視断面図である。
【図３】  本発明にかかる施錠機構を設けたキャビネットについて、鍵棒の近傍を引出しを除いて示す斜視図である。
【図４】  本発明にかかる施錠機構を設けたキャビネットについて、鍵板の近傍を引出しを除いて示す内側からの本体側板の一部側面図である。
【図５】  本発明にかかる施錠機構の実施例について引掛棒と引出しの引掛板との関係を説明する図１のＢ―Ｂ線矢視断面図である。
【符号の説明】
１  キャビネット本体
２  引出し
３  開閉扉
４  回転板
５  連結棒
６  本体側板
７  鍵棒
８  マグネットキャッチ
９  鍵板
１０  底板
１１  中仕切板
１２  カード式施錠装置
１３  スライド板
１４  ピン
１５  透孔
１６  復帰バネ
１７  中心回転軸
１８  連結回転軸
１９  側板補強部材
２０  縦方向幅広溝
２１  鍵棒補強部材
２２  側板補強部材の後側部分
２３  縦方向幅狭溝
２４  扉レール
２５  サスペンション
２６  Ｌ字型部
２７  連結孔
２８  引掛棒
２９  螺旋カム
３０  支点
３１  係合溝
３２  挟持溝
３３  カード挿入口
３４  引掛板
３５  係合孔
【図１】
0003659599.tif 000002
【図２】
0003659599.tif 000003
【図３】
0003659599.tif 000004
【図４】
0003659599.tif 000005
【図５】
0003659599.tif 000006